(57)【特許請求の範囲】
【請求項１】
ウレタンフォームからなる枠体内に、圧力を個別に変えることで硬さ調整が可能な複数の平面状空気袋を設けて該複数の平面状空気袋の圧力を個別に変えることで硬さを人体の各部で変えることが可能となった人体を支持するためのエアマットを構成し、該エアマットの上にエアマットに支持した人体の一部を加圧、減圧により伸展、圧迫してマッサージするための複数の筒状小空気袋を設けて成ることを特徴とするエアマット装置。
【請求項２】
複数の筒状小空気袋を、人体の腰部に相当する位置に配置したことを特徴とする請求項１記載のエアマット装置。
【請求項３】
筒状小空気袋を、人体の足首部に相当する位置に配置したことを特徴とする請求項１記載のエアマット装置。
【請求項４】
人体の頭部に相当する位置は、ウレタンフォームにて構成したことを特徴とする請求項１記載のエアマット装置。
【請求項５】
複数の筒状小空気袋を、２分割したことを特徴とする請求項１記載のエアマット装置。
【請求項６】
２分割した複数の筒状小空気袋を、交互に加圧、減圧することを特徴とする請求項５記載のエアマット装置。
【請求項７】
ウレタンフォームよりなる枠体内にポンプ内装部を設けて該ポンプ内装部に複数の平面状空気袋、複数の筒状小空気袋を加圧するためのポンプを内装することを特徴とする請求項１乃至請求項６のいずれかに記載のエアマット装置。
【発明の詳細な説明】
【０００１】
【発明の属する技術分野】
本発明は、マット内に設けた複数の空気袋の圧力を制御可能なエアマット装置に関するものである。
【０００２】
【従来の技術】
従来、この種のエアマットには、特開平６−３３５５０４号などがあった。この従来例のエアマットはマットに設けた複数の空気袋を個別に加圧することで、人体のマッサージを行うという単機能のものであった。
【０００３】
【発明が解決しようとする課題】
本発明は上記の点に鑑みてなされたものであり、上記の従来例の機能に更に別の機能を付け加えることで、２層に設けた空気袋において、複数の筒状小空気袋を用いて就寝前の一定時間人体のマッサージを行い、その後平面状空気袋を用いて快適な寝心地を生み出すことができるエアマット装置を提供することを課題とするものである。
【０００４】
【課題を解決するための手段】
上記課題を解決するために本発明に係るエアマット装置は、ウレタンフォームからなる枠体１内に、圧力を個別に変えることで硬さ調整が可能な複数の平面状空気袋２を設けて該平面状空気袋２の圧力を個別に変えることで硬さを人体Ａの各部で変えることが可能となった人体Ａを支持するためのエアマット３を構成し、該エアマット３の上にエアマット３に支持した人体Ａの一部を加圧、減圧により伸展、圧迫してマッサージするための複数の筒状小空気袋４を設けて成ることを特徴とするものである。このような構成とすることで、マッサージを行う時には複数の平面状空気袋２よりなるエアマット３の上に設けた筒状小空気袋４を加圧、減圧することで人体Ａの一部を展延、圧迫し、筋肉の効果的なマッサージを行い、更に、就寝時には複数の平面状空気袋２よりなるエアマット３を用いて就寝することができ、この場合、エアマット３を構成する複数の平面状空気袋２はそれぞれ個別に圧力を変えることで人体Ａを支持するためのエアマット３の各部の圧力、つまり硬さを個別に変えることが可能となるものである。ここで、ウレタンフォームよりなる枠体１内にポンプ内装部６を設けて該ポンプ内装部６に複数の平面状空気袋２、複数の筒状小空気袋４を加圧するためのポンプ７を内装することが好ましい。
【０００５】
また、複数の筒状小空気袋４を、人体Ａの腰部に相当する位置に配置することが好ましい。このように筒状小空気袋４を人体Ａの第１腰椎から第５腰椎に相当する腰部に設けたので、腰部を伸展、圧迫し、腰部筋肉のマッサージを行うことができるものである。
【０００６】
また、筒状小空気袋４を、人体Ａの足首部に相当する位置に配置することが好ましい。このような構成とすることで、足首部をマッサージすることができる。
【０００７】
また、人体Ａの頭部に相当する位置は、ウレタンフォームにて構成することが好ましい。このような構成とすることで、ウレタンフォームにより頭部を一定に保持し、安定した状態で睡眠をとることができるものである。
【０００８】
また、複数の筒状小空気袋４を、２分割することが好ましい。このような構成とすることで、背骨に相当する接合部を、背骨両側の筋肉に相当する位置より低くでき、背骨を過度に圧迫することなく筋肉の伸展、圧迫を良好な状態で行うことができるものである。
【０００９】
また、２分割した複数の筒状小空気袋４を、交互に加圧、減圧することが好ましい。このような構成とすることで、背骨を中心に人体Ａの左右のひねりを実施して、腰部筋肉の伸張、圧迫を良好な状態で行うことができるものである。
【００１０】
【発明の実施の形態】
以下、本発明を添付図面に示す実施形態に基づいて説明する。
【００１１】
図１には本発明のエアマット装置の概略斜視図が示してあり、図２には本発明の第１実施形態の構成図が示してあり、図３には動作制御のフローチャートが示してある。枠体１はウレタンフォームにより構成してあり、枠体１内に複数の平面状空気袋２が設けてあってエアマット３を構成してある。それぞれの平面状空気袋２（２ａ、２ｂ、２ｃ、２ｄ）には個別に配管チューブ５により枠体１内に設けたポンプ内装部６内に内装したポンプ７、制御回路８内の圧力センサに接続してある。例えば、操作器（図示せず）にて平面状空気袋２ａを加圧するスイッチを押すと、定められた制御方式に従いポンプ７が駆動する。圧力センサにより設定圧力を読み取り、制御回路にフィードバックすることで、ポンプ駆動を停止する。操作器には平面状空気袋２ａの圧力を数段階に設定できるスイッチが設けてあり、圧力センサ設定値に応じて、ポンプ７駆動による加圧、排気弁による減圧を実施するものである。平面状空気袋２ｂ、２ｃ、２ｄについても同様の制御が個別に可能となっている。以上のような構成、制御方式により就寝時に人体Ａを支持するエアマット３の圧力、つまり、硬さを人体Ａ各部で変えることが可能な構造となっている。
【００１２】
上記平面状空気袋２の上には複数の筒状小空気袋４が設けてある。添付図面に示す実施形態では平面状空気袋２が複数の平面状空気袋２ａ、２ｂ、２ｃ、２ｄに分割してあり、この複数に分割した各平面状空気袋２ａ、２ｂ、２ｃ、２ｄ上にそれぞれ１乃至複数個の筒状小空気袋４（４ａ、４ｂ、４ｃ、４ｄ、４ｅ）が設けてある。筒状小空気袋４には個別に配管チューブ５ａによりポンプ内装部６内に内装したポンプ７、制御回路８内の圧力センサに接続してある。そして、操作器にて筒状小空気袋４を加圧するスイッチを押すと、定められた制御方式に従いポンプ７が駆動する。圧力センサにより設定圧力を読み取り、制御回路にフィードバックすることで、ポンプ駆動を停止し、排気弁にて減圧を行う。このようにして定められた制御方式により複数の筒状小空気袋４ａ、４ｂ、４ｃ、４ｄ、４ｅは個別もしくは連動して加圧、減圧され、人体Ａの一部を局部的に伸展、圧迫することが可能な構造となっている。
【００１３】
図４には本発明において筒状小空気袋４ａ、４ｂ、４ｃ、４ｄ、４ｅの他の動作サイクルを示す説明図である。この実施形態においては筒状小空気袋４ａ、４ｂ、４ｃが図９に示す人体Ａ背骨図の第１腰椎から第５腰椎に相当する腰部に設けてある。また、筒状小空気袋４ｄは骨盤の足側先端に相当する位置に設けてある。操作器の腰上げスイッチを押すと、筒状小空気袋４ａ、４ｄが加圧され、圧力センサにより設定圧力を読み取り、制御回路にフィードバックすることで、ポンプ駆動を停止する。一定時間保持の後、排気弁が作動し、筒状小空気袋４ａ、４ｄは減圧される。その後、筒状小空気袋４ｂ、４ｃが順次同様の動作を行い、これを１サイクルとする。上記のサイクルを１０〜２０サイクル程度繰り返した後に筒状小空気袋４ａ、４ｂ、４ｃ、４ｄは全て減圧された状態で停止するものである。以上のような制御で人体Ａの腰部を伸展、圧迫することが可能な構造となっている。
【００１４】
図５は本発明の筒状小空気袋４の更に他の動作説明図を示している。筒状小空気袋４ｅは人体Ａの足首に相当する位置に設けてある。操作器の足上げスイッチを押すと、定められた制御方式にしたがってポンプ７が駆動する。圧力センサーにより設定圧力を読み取り、制御回路にフィードバックすることで、ポンプ７駆動を停止する。筒状小空気袋４ｅの圧力は複数段階に設定でき、圧力センサー設定値に応じて、ポンプ７駆動による加圧、排気弁による減圧を実施するものである。このような制御により、足首を上げた状態に保持できる構造となっている。
【００１５】
ところで、図２に示すように、ウレタンフォームよりなる枠体１の長手方向の一端部は人体Ａの頭部を保持する部分となっている。つまり、人体Ａの頭部に相当する位置にはウレタンフォームよりなる枠体１の一部が存在し、人体Ａの頭部を安定して保持できる構造となっている。
【００１６】
筒状小空気袋４は左右に２分割した構成となっていてもよい。図６には筒状小空気袋４を左右に２分割した例の正面図及び断面図が示してある。添付図面に示す実施形態においては複数の筒状小空気袋４のうち筒状小空気袋４ａ、４ｂ、４ｃ、４ｄがいずれも左右に２分割してあって、分割袋部４ａ1、４ａ2、分割袋部４ｂ1、４ｂ2、分割袋部４ｃ1、４ｃ2、分割袋部４ｄ1、４ｄ2となっている。左右に２分割した上記分割袋部にはそれぞれ空気排気口９ａ、９ｂが設けてあり、操作器の該当するスイッチを押すと、各分割袋部がそれぞれ定められた制御方式に従いポンプ７が駆動する。圧力センサーにて設定圧力を読み取り、制御回路にフィードバックすることで、ポンプ７駆動を停止する。ここで、加圧時には図７に示すように、背骨に相当する分割袋部同士の接合部１０（分割袋部４ａ1、４ａ2同士の接合部、分割袋部４ｂ1、４ｂ2同士の接合部、分割袋部４ｃ1、４ｃ2同士の接合部）が背骨両側の筋肉に相当する位置より低くなっており、筋肉を伸展、圧迫構造となっている。
【００１７】
また、図２に示すように、分割袋部４ａ1、４ａ2、分割袋部４ｂ1、４ｂ2、分割袋部４ｃ1、４ｃ2、分割袋部４ｄ1、４ｄ2にはそれぞれバルブ１１ａ、１１ｂ、バルブ１２ａ、１２ｂ、バルブ１３ａ、１３ｂ、バルブ１４ａ、１４ｂが設けてある。
【００１８】
そして、図８のように２分割した複数の筒状小空気袋４を、交互に加圧、減圧するようにしてもよい。操作器の該当するスイッチを押すと、定められた制御方式に従いポンプ７、バルブ１１ａ、１１ｂ（分割袋部４ａ1、４ａ2の場合につき説明するが、分割袋部４ｂ1、４ｂ2、分割袋部４ｃ1、４ｃ2、分割袋部４ｄ1、４ｄ2の場合も同様である）が動作する。初めに分割袋部４ａ1のみが加圧され、一定時間保持の後、排気弁にて減圧される。次に分割袋部４ａ2のみが加圧され、一定時間保持の後、排気弁にて減圧される。これを１サイクルとして１０〜２０サイクル実施した後、分割袋部４ａ1、４ａ2は共に減圧されて停止する。第８図に示すように、背骨を中心に人体Ａの左右のひねりを実施することができる構造となっている。分割袋部４ｂ1、４ｂ2、分割袋部４ｃ1、４ｃ2、も同様の動作を行う制御方式となっている（ここで、分割袋部４ｄ1、４ｄ2も同様の動作を行う制御方式としてもよい）。
【００１９】
【発明の効果】
上記の請求項１記載の本発明にあっては、ウレタンフォームからなる枠体内に、圧力を個別に変えることで硬さ調整が可能な複数の平面状空気袋を設けて該複数の平面状空気袋の圧力を個別に変えることで硬さを人体の各部で変えることが可能となった人体を支持するためのエアマットを構成し、該エアマットの上にエアマットに支持した人体の一部を加圧、減圧により伸展、圧迫してマッサージするための複数の筒状小空気袋を設けてあるので、筒状小空気袋を加圧、減圧することにより、人体の一部を伸展、圧迫し、筋肉の効果的なマッサージをすることができ、また、就寝時には複数の平面状空気袋よりなるエアマットを用いて就寝することができ、この場合、複数の平面状空気袋の圧力を個別に変えることで、人体を支持するエアマットの圧力、つまり、硬さを人体各部で個別に変えることができ、使用者の好みに応じたマット硬度で良好な寝心地が得られるものである。
【００２０】
また、請求項２記載の発明にあっては、上記請求項１記載の発明の効果に加えて、複数の筒状小空気袋を、人体の腰部に相当する位置に配置したので、腰部を伸展、圧迫し、腰部筋肉の効果的なマッサージを行うことができるものである。
【００２１】
また、請求項３記載の発明にあっては、上記請求項１記載の発明の効果に加えて、筒状小空気袋を、人体の足首部に相当する位置に配置したので、足先先端部の血行を良くし、効果的な冷え性防止が可能である。
【００２２】
また、請求項４記載の発明にあっては、上記請求項１記載の発明の効果に加えて、人体の頭部に相当する位置は、ウレタンフォームにて構成したので、頭部を一定に安定して保持することができ、安定した状態で睡眠をとることができるものである。
【００２３】
また、請求項５記載の発明にあっては、上記請求項１記載の発明の効果に加えて、複数の筒状小空気袋を、２分割したので、背骨を過度に圧迫することなく筋肉の伸展、圧迫を良好な状態で行い、筋肉の効果的なマッサージができるものである。
【００２４】
また、請求項６記載の発明にあっては、上記請求項５記載の発明の効果に加えて、２分割した複数の筒状小空気袋を、交互に加圧、減圧するので、腰部筋肉の伸展、圧迫を良好な状態で行うことができ、腰部筋肉の効果的なマッサージを行うことができるものである。
【図面の簡単な説明】
【図１】本発明のエアマット装置の概略斜視図である。
【図２】同上の構成図である。
【図３】同上の動作制御のフローチャートである。
【図４】同上の動作サイクルを示す説明図である。
【図５】同上の他の動作説明図である。
【図６】同上の筒状小空気袋を左右に２分割する例を示し、（ａ）は平面図であり、（ｂ）は断面図である。
【図７】同上の動作説明図である。
【図８】同上の動作説明図である。
【図９】（ａ）は同上の人体の背骨を説明する側面図であり、（ｂ）は後面図である。
【符号の説明】
１  枠体
２  平面状空気袋
３  エアマット
４  筒状小空気袋
【図１】
0003890780.tif 000002
【図２】
0003890780.tif 000003
【図３】
0003890780.tif 000004
【図４】
0003890780.tif 000005
【図５】
0003890780.tif 000006
【図６】
0003890780.tif 000007
【図７】
0003890780.tif 000008
【図８】
0003890780.tif 000009
【図９】
0003890780.tif 000010